(57)【要約】    【課題】  腹部対応部位に立体的な膨らみ部を形成でき、腹部ないし下腹部に対する装着圧が低減され良好な使用感が得られるパンツ型おむつを提供する。    【解決手段】  本発明のパンツ型おむつ１は、前身頃Ｆにおける、ウエスト開口部端５Ａと吸収体４の長手方向の端部４Ａの位置との間に、おむつ横方向に沿ってウエスト弾性部材５１が配されており、前身頃Ｆにおける吸収体４の長手方向の左右両側に、胴回り弾性部材７１が非連続に配されており、左右の胴回り弾性部材７１は、それぞれ、おむつ横方向の両端部からおむつ横方向中央部に向かうにつれて、ウエスト弾性部材５１との間のおむつ縦方向の離間距離が拡大するように配されており、且つ、前身頃Ｆにおける、吸収体４の長手方向の両側部に切込部４１，４１が形成されている。【選択図】    図５
2006167351.tif 000002
【特許請求の範囲】
【請求項１】
前身頃及び後身頃を有し、ウエスト開口部及び一対のレッグ開口部が形成されているパンツ型の使い捨ておむつであって、
前身頃における、ウエスト開口部端と吸収体の長手方向の端部の位置との間に、おむつ横方向に沿ってウエスト弾性部材が配されており、
前身頃における吸収体の長手方向の左右両側に、胴回り弾性部材が非連続に配されており、左右の胴回り弾性部材は、それぞれ、おむつ横方向の両端部からおむつ横方向中央部に向かうにつれて、ウエスト弾性部材との間のおむつ縦方向の離間距離が拡大するように配されており、且つ、
前身頃における、前記吸収体の長手方向の両側部に切込部が形成されているパンツ型おむつ。
【請求項２】
前記切込部が、弾性部材の収縮力によって自然状態において閉じるようになされている請求項１記載のパンツ型おむつ。
【請求項３】
前記切込部を閉じる前記弾性部材は、おむつを、股下領域並びにその前後に位置する腹側領域及び背側領域に区分したときの、腹側領域の側部から股下領域における吸収体の側縁部に向かって配されており、該弾性部材は、おむつ横方向において、前記切込部の開口部最外点の位置よりおむつ横方向中央部側まで延びており、且つ該切込部の開口部最外点は、おむつ縦方向において、前記胴回り弾性部材のおむつ横方向中央部側の端部の位置より下方に位置している請求項２記載のパンツ型おむつ。
【請求項４】
前記切込部は、おむつ縦方向中心線に対する中心線の角度が０〜７５度である請求項１〜３の何れか記載のパンツ型おむつ。
【請求項５】
前記ウエスト弾性部材は、前身頃の全幅に亘って配されており、前記切込部を閉じる前記弾性部材は、前記吸収体の長手方向の左右両側に、非連続に配されており、該弾性部材のおむつ横方向中央部側の端部が、胴回り弾性部材のおむつ横方向中央部側の端部よりもおむつ幅方向中央部側に位置している請求項２〜４の何れか記載のパンツ型おむつ。
【発明の詳細な説明】
【技術分野】
【０００１】
本発明は、パンツ型の使い捨ておむつに関する。
【背景技術】
【０００２】
高齢者、特に女性の高齢者においては、加齢に伴う腹囲の増大が見られる。
そのため、従来のパンツ型の使い捨ておむつは、腹部ないし下腹部にきつさを感じさせ易いという問題があった。
着用者の腹側に配される弾性部材の配置を工夫した使い捨ておむつとしては、特許文献１に、前身頃持ち上げ弾性部材を設けたパンツ型おむつが記載されている。また、特許文献２には、ボディフィット用弾性糸が複数本Ｖ字型に配置され、そのそれぞれが、おむつ横方向中央部で分断されているパンツ型おむつが記載されている。更に、特許文献３には、腹側部の胴回り部における吸収体の両側縁の位置より横方向外方に位置する両サイド部に、おむつ縦方向に対して４５度に傾いた方向に伸縮可能な弾性部を設けたパンツ型おむつが記載されている。
【０００３】
【特許文献１】特開平１０−１２７６８７号公報
【特許文献２】特開２００１−２９３８８号公報
【特許文献３】特開２００４−２３６８３２号公報
【発明の開示】
【発明が解決しようとする課題】
【０００４】
しかし、特許文献１記載のおむつは、腹部相当箇所に、腹部弾性部材がおむつ横方向に配されているため、腹部ないし下腹部にきつさを感じさせ易いという問題を解消し得るものではない。また、特許文献２記載のおむつは、レッグ開口部の密着性の確保や製造設備の簡素化を目的としたもので、腹部ないし下腹部にきつさを感じさせ易いという問題を解消し得るものではない。更に、特許文献３記載のおむつにおいても、両サイド部に設けた弾性部によって、腹部ないし下腹部に対する密着性は向上するものの、腹部ないし下腹部にきつさを感じさせ易いという問題を充分に解消し得るものではない。
【０００５】
従って、本発明の目的は、腹部ないし下腹部に対応する部位（以下、腹部対応部位ともいう）に立体的な膨らみ部を形成でき、腹部ないし下腹部に対する押圧力を低減して、良好な使用感を得ることのできるパンツ型おむつを提供することにある。
【課題を解決するための手段】
【０００６】
本発明は、前身頃及び後身頃を有し、ウエスト開口部及び一対のレッグ開口部が形成されているパンツ型の使い捨ておむつであって、前身頃における、ウエスト開口部端と吸収体の長手方向の端部の位置との間に、おむつ横方向に沿ってウエスト弾性部材が配されており、前身頃における吸収体の長手方向の左右両側に、胴回り弾性部材が非連続に配されており、左右の胴回り弾性部材は、それぞれ、おむつ横方向の両端部からおむつ横方向中央部に向かうにつれて、ウエスト弾性部材との間のおむつ縦方向の離間距離が拡大するように配されており、且つ、前身頃における、前記吸収体の長手方向の両側部に切込部が形成されているパンツ型おむつを提供することにより前記目的を達成したものである。
【発明の効果】
【０００７】
本発明のパンツ型おむつによれば、腹部対応部位に立体的な膨らみ部を形成でき、腹部ないし下腹部に対する押圧力を低減して、良好な使用感を得ることができる。また、予め立体的な膨らみ部を形成することで、腹部ないし下腹部に対する押圧力低減を視覚的に着用者に伝達することができる。
【発明を実施するための最良の形態】
【０００８】
以下、本発明をその好ましい実施形態に基づいて説明する。
図１〜３に示す本実施形態のパンツ型おむつ１（以下、おむつ１という）は、成人用のパンツ型使い捨ておむつであり、図３に示すように、液透過性の表面シート２、液不透過性の裏面シート３及び液保持性の吸収体４を備えている。
おむつ１は、図２に示すように、股下部に配される股下領域Ｃ並びにその前後に位置する腹側領域Ａ及び背側領域Ｂに区分することができる。股下領域Ｃは、左右両側にレッグ開口部６，６形成形成用の凹欠部が形成されている領域である。また、本おむつ１は、図２に示すように、おむつ横方向に延びるおむつ中心線ＣＬを境にして前身頃Ｆと後身頃Ｇとに区分することができる。
【０００９】
おむつ１は、腹側領域Ａの両側縁部Ａ１，Ａ１と背側領域Ｂの両側縁部Ｂ１，Ｂ１とがヒートシール、高周波シール、超音波シール等の公知の接合手段により接合されて、一対のサイド接合部２３，２３、ウエスト開口部５及び一対のレッグ開口部６，６が形成されている。
【００１０】
おむつ１は、図２及び図３に示すように、吸収性本体１０と、該吸収性本体１０の外面（着用者とは反対側に向けられる面）側に位置して該吸収性本体１０を固定している外装体２０とからなる。吸収性本体１０は、縦長の形状を有しており、表面シート２、裏面シート３及び吸収体４を具備する。吸収体４は、表面シート２及び裏面シート３間に挟持固定されている。吸収性本体１０の長手方向の両側部には、一対の立体ガード１１が形成されている。吸収性本体１０は、その長手方向を、展開且つ伸張状態（図２に示す状態）におけるおむつ長手方向に一致させて、外装体２０の中央部に公知の接合手段（接着剤等）により接合されている。また、吸収体４は、図２に示すように、おむつ縦方向（図２の上下方向）と同方向に長い形状を有しており、その長手方向の一端部４Ａが腹側領域Ａに位置し他端部４Ｂが背側領域Ｂに位置している。
【００１１】
ここで、展開且つ伸長状態とは、サイド接合部を引き剥がして（サイド接合部がない場合は着用者の左右側部に位置するおむつ側部を切断して）、おむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。本明細書に記載の各部の寸法や角度等は、特に説明しない限り、展開且つ伸長状態のおむつについて測定する。
おむつ横方向に延びるおむつ中心線ＣＬとは、展開且つ伸張状態における、おむつの長手方向の全長を２等分する線である。
【００１２】
外装体２０は、図３に示すように、おむつ１の外表面（着用者とは反対側に向けられる面）を形成している外層シート２１と、該外層シート２１に隣接してその内側に積層接着された内層シート２２とを具備し、これら両シート間に、後述する各部の弾性部材５１，６１，６２，７１，７２が、ホットメルト型接着剤等の接着剤を用いて伸張状態で固定されている。
【００１３】
おむつ１においては、図２に示すように、前身頃Ｆにおける、ウエスト開口部端５Ａと吸収体４の長手方向の端部４Ａの位置との間に、おむつ横方向に沿って複数本のウエスト弾性部材５１が伸張状態で配されている。ウエスト弾性部材５１は、前身頃Ｆの全幅に亘って配されている。ウエスト弾性部材５１は、互いに平行に複数本配されている。
おむつ１においては、図２に示すように、後身頃Ｇにおける、ウエスト開口部端５Ｂと吸収体４の長手方向の端部４Ｂの位置との間にも、同様にウエスト弾性部材５１が配されており、これらのウエスト弾性部材５１により、ウエスト開口部５の周囲に、実質的にその全周に亘るウエストギャザーが形成されている。
【００１４】
また、前身頃Ｆにおける吸収体４の長手方向の左右両側には、胴回り弾性部材７１，７２が非連続に配されている。ここで、非連続とは、左右一方の側の胴回り弾性部材７１と他方の側の胴回り弾性部材７２とが、おむつの横方向中央部で連続していないことを意味する。本おむつ１おける胴回り弾性部材７１，７２は、おむつ横方向中央部側の端部が、吸収体４の側縁部４５の位置よりやや内側（おむつ幅方向中央側）に位置している。
各胴回り弾性部材７１，７２は、サイド接合部２３と吸収体４の側縁部との間の略全域において弾性伸縮性を発現する一方、吸収体４と重なる部分は、吸収体４の各側縁部付近の極一部を除いて、外層シート２１及び外層シート２１の何れにも接合されておらず弾性伸縮性を発現しない。吸収体４と重なる部分では弾性伸縮性を発現しないようにすることで、吸収体にシワが生じることを防止でき、膨らみ部を確実且つ明瞭に形成できる。
【００１５】
左右の各胴回り弾性部材７１，７２は、おむつ横方向の両端部（より具体的には、腹側領域Ａの両側部）からおむつ横方向中央部に向かって配されている。胴回り弾性部材７１，７２は、それぞれ、おむつ幅方向外方側の端部が、腹側領域Ａの両側縁端それぞれからおむつ横方向に３０ｍｍ迄の範囲、特に２０ｍｍ迄の範囲内に位置することが好ましく、おむつ幅方向内方側（幅方向中央部側）の端部は、吸収体の両側縁端からおむつ幅方向内方に３０ｍｍ、外方に３０ｍｍの範囲内に位置することが好ましい。
【００１６】
左右の各胴回り弾性部材７１、７２は、図４に示すように、おむつ横方向の両端部からおむつ幅方向中央部に向かうにつれて、ウエスト弾性部材（胴回り弾性部材のウエスト開口部端５Ａ側に配された弾性部材）５１との間のおむつ縦方向（図２の上下方向）の離間距離Ｈが拡大するように配されている。各胴回り弾性部材７１，７２は、平面視して曲線状に配されており、より具体的には、サインカーブの山の頂部又は谷の最深部を一端とする半周期分の形状と略同一の形状に配されており、左右の胴回り弾性部材７１、７２の両者でサインカーブ一周期分の形状と略同一の形状に配されている。
【００１７】
おむつ１における左右の各胴回り弾性部材７１，７２は、それぞれ、おむつ縦方向に所定の間隔を開けて略同様の形状に配された複数本の線状弾性部材（糸ゴム）７１ａ，７２ａから構成されている。各胴回り弾性部材７１，７２が、複数本の線状弾性部材７１ａ，７２ａから構成されていると、腹部対応部位に立体的な膨らみ部が形成されやすくなることや、着用者の腹部、特に腹部の最突出部の締め付けを一層防止できることから好ましい。線状弾性部材７１ａ及び線状弾性部材７２ａそれぞれの、おむつ縦方向の間隔は、例えば２〜１０ｍｍ間隔とすることができる。
【００１８】
各胴回り弾性部材７１，７２は、おむつ縦方向の最大変位量Ｔ（図４参照）が２０〜９０ｍｍ、特に４０〜６０ｍｍであることが、腹部対応部位に立体的な膨らみ部Ｍが形成されやすくなることや、着用者の腹部、特に腹部の最突出部の締め付けを一層防止できることから好ましい。
おむつ１においては、各胴回り弾性部材７１，７２のおむつ横方向外側の端部が、最もウエスト開口部端５Ａ側に位置し、おむつ横方向中央部側端部が最もウエスト開口部端５Ａから離れた側（股下領域Ｃ側）に位置しており、両端部のおむつ縦方向位置の差が、最大変位量となっている。
【００１９】
各胴回り弾性部材７１，７２は、少なくとも一部の線状弾性部材７１ａ，７２ａが、他の弾性部材、特におむつ横方向と平行に配された弾性部材と交差していないことが好ましく、総ての線状弾性部材７１ａ，７２ａが他の弾性部材と交差していないことがより好ましい。他の弾性部材と交差させないことで、吸収体に不規則なシワが生じることを防止でき、膨らみ部を確実且つ明瞭に形成することができる。
【００２０】
おむつ１の前身頃Ｆにおける、吸収体４の長手方向の両側部には、切込部４１が形成されている。切込部４１の形成により、吸収体４を設計通りの形状に変形させることができ、形状安定性の良い膨らみ部を確実且つ明瞭に形成することができる。
複数の層からなる吸収体の場合は、各層のうち一層でも切込部４１が形成されていれば良い。ただし、膨らみ部の形成の確実性、明瞭性の観点から、切込部４１が形成されている層の切込部４１には他の層が重なっていないこと、あるいは各層の切込部が重なっていることが好ましい。切込部が重なっているときは、完全に重なっている場合と共に、ずれて重なっている場合も含む。
【００２１】
切込部４１は、閉じた際にシワの発生が少ないことから、切込部４１の開口部４２から先端部（最深部）４３に向かうにつれて漸次幅が減少する形状であることが好ましく、平面視して略Ｖ字状であることがより好ましい。
【００２２】
おむつ１における切込部４１は、おむつ縦方向において、おむつの幅が最小となる部位よりも、前身頃Ｆのウエスト開口部端５Ａ側に形成されている。より具体的には、腹側領域Ａと股下領域Ｃとの境界線から腹側領域Ａ側に２０ｍｍの位置から、該境界線から股下領域Ｃ側に４０ｍｍの位置までの範囲内に形成されている。また、切込部４１は、おむつ縦方向中心線ＴＬ（図２参照）に対して、左右対称に一対形成されている。尚、本おむつ１において吸収体４１が最小幅となる部位は、おむつの幅が最小となる部位とほぼ同一の箇所となっており、そこから、その前後に向かうに従って吸収体の幅が増大している。
【００２３】
切込部４１は、不規則なシワの発生を防止しつつ、腹部対応部位に、立体的な膨らみ部を確実且つ明瞭に形成させる観点から、開口部４２の開口幅Ｗ（図４参照）が５〜８０ｍｍであることが好ましく、より好ましくは１０〜５０ｍｍである。また、同様の観点から、切込部の長さＬ（図４参照）は、１０〜１００ｍｍであることが好ましく、より好ましくは１５〜５０ｍｍである。
ここで、開口部の開口幅Ｗとは、図４に示すように、切込部４１に隣接してそのおむつ幅方向外側に位置する、吸収体の切込部隣接部４４の前記中心線ＣＬ側端点を点Ｐとし、該点Ｐを通る、前記中心線ＣＬと平行な直線（おむつを横方向に横切る直線）ＷＬと交わる吸収体側縁上の点のうち、点Ｐよりもおむつ幅方向内側に位置し且つ最も点Ｐに近接する点を点Ｑとしたときに、点Ｐと点Ｑを結んだ線分ＰＱの長さをいう。本おむつ１における切込部隣接部４４は、中心線ＣＬに向かって凸の形状を有している。
切込部の長さＬとは、先端部４３と線分ＰＱの最短距離をいう。
【００２４】
先端部４３、切込部隣接部４４、点Ｐは複数存在しても良く、複数存在する場合には、複数の点それぞれについて開口幅Ｗと切込部の長さＬを測定する。この場合、少なくとも一部のＷ，Ｌが前記数値を満たせば良いが、不規則なシワの発生を防止しつつ、腹部対応部位に、立体的な膨らみ部を確実且つ明瞭に形成させる観点から、全てのＷ，Ｌが前記数値を満たすことが好ましい。図７の（ｂ）及び（ｃ）に、先端部４３、切込部隣接部４４及び点Ｐが、それぞれ２つ存在する場合の例を示した。尚、これらの図においては、一方の先端部４３、込部隣接部４４及び点Ｐを、符号４３’、込部隣接部４４’及び点Ｐ’としてある。
【００２５】
また、切込部４１は、不規則なシワの発生を防止しつつ、腹部対応部位に、立体的な膨らみ部を形成させる観点から、おむつ縦方向中心線ＴＬに対するその中心線４１ａの角度θ（図２参照）が０〜７５度、特に０〜４５度であることが好ましい。ここで、切込部４１の中心線４１ａは、線分ＰＱの中点と切込部４１の先端部４３を通る直線とし、該直線がおむつ縦方向中心線ＴＬと平行な場合は、中心線ＴＬに対する角度θが０度とする。また、切込部４１は、図７（ａ）に示すように、前身頃Ｆのウエスト開口端５Ａに近づくにつれて、おむつ縦方向中心線ＴＬに近づくように傾斜していても良いし、図７（ｄ）に示すように、前身頃Ｆのウエスト開口端５Ａに近づくにつれて、おむつ縦方向中心線ＴＬから離れるように傾斜していても良いが、何れの場合も、図２に示すように、切込部４１の中心線４１ａとおむつ縦方向中心線ＴＬとの交差部に生じる大小２つの角度の内の鋭角の方の角度を、切込部４１の中心線４１ａの角度θとする。
【００２６】
先端部４３が複数存在する場合は、そのうちの任意の点を先端部４３としてよい。角度θが複数存在する場合は、少なくともその一つが上記数値を満たせば良いが、不規則なシワの発生を防止しつつ、腹部対応部位に、立体的な膨らみ部を形成させる観点から、全ての角度θが上記数値を満たすことが好ましい。
【００２７】
本おむつ１における、着用者の脚周りに配される部位であるレッグ部６０それぞれには、第１及び第２のレッグ弾性部材６１，６２が配されている。これらのレッグ弾性部材６１，６２は、股下領域において重なるか又は近接しており、これらの弾性部材により、レッグ開口部６それぞれの開口周縁部に、実質的にその全周に亘って実質的に連続するレッグギャザーが形成されている。
【００２８】
おむつ１における切込部４１は、図５に示すように、レッグ弾性部材６１の収縮力によって自然状態において閉じるようになされている。自然状態とは、外力を加えずにおむつを自然に収縮させた状態であり、自然状態において閉じるという表現には、切込部４１の幅が狭くなっている場合（例えば１／２以下になるような場合）も含み、必ずしも完全に閉じることを要求するものではない。
【００２９】
レッグ弾性部材６１は、図２に示すように、腹側領域Ａの側部から股下領域Ｃにおける吸収体４の側縁部に亘って配されており、レッグ弾性部材６１は、図４に示すように、おむつ横方向において、切込部４１の開口部最外点Ｐの位置よりおむつ横方向中央部側まで延びている。レッグ弾性部材６１及び６２は、何れも、おむつの両側に左右不連続に配されている。
ここで、切込部４１の開口部最外点Ｐとは、上述した点Ｐのことである。即ち、切込部４１に隣接してそのおむつ幅方向外側に位置する、吸収体の切込部隣接部４４の前記中心線ＣＬ側の端点を意味する。
また、切込部４１の開口部最外点Ｐは、おむつ縦方向において、胴回り弾性部材７１のおむつ横方向中央部側の端部７１ｂの位置７３より下方（股下領域Ｃ側，図４において位置７３よりも下方）に位置している。
切込部４１の開口部最外点Ｐが複数存在する場合には、最も、おむつ横方向に延びる中心線ＣＬ寄りの点Ｐを、切込部４１の開口部最外点Ｐとする。
レッグ弾性部材６１、切込部４１及び胴回り弾性部材７１（７２）がこのような関係を満たすことにより、シワの発生を防止しつつ、吸収体を立体的な形状に変形させることが容易となり、腹部対応部位に立体的な膨らみ部を安定的且つ容易に形成することができる。
【００３０】
本実施形態のおむつ１は、その自然状態において、図５に示すように、ウエスト弾性部材５１が矢印Ｐ１方向に収縮すると共に、胴回り弾性部材７１（７２）が矢印Ｐ２方向に収縮する。これにより、前身頃Ｆにおける、吸収体４の長手方向の端部４Ａ付近が、上方に引き上げられつつ、おむつの厚み方向の外方（矢印Ｐ３方向）に向かって突出する。同時に、レッグ弾性部材６１が、矢印Ｐ４方向に収縮して、吸収体４を、切込部４１よりもやや下方において、着用者の肌側方向に引き寄せるとともに、切込部４１が閉じて吸収体４が変形することにより、吸収体４の切込部４１が存在する部位付近が、矢印Ｐ５方向に膨らんで、下方に位置する部位との間に段差を生じる。
このようにして、自然状態におけるおむつ１の腹部対応部位には、おむつ外面側に突出する立体的な膨らみ部Ｍが形成される。膨らみ部Ｍは、おむつ外面側に凸の形状であるが、おむつ内面側の肌側に向けられる面は、凹状となっている。
【００３１】
本実施形態のおむつ１は、その自然状態において、腹部対応部位に膨らみ部Ｍが形成されるのみならず、おむつを着用した状態においても、その膨らみ部Ｍの形状を維持しようとする力が働くため、着用状態において、膨らみ部が外観上明瞭に生じている場合は勿論のこと、膨らみ部が外観上明瞭に生じていない場合においても、着用者の腹部ないし下腹部に対する押圧力や締め付け力が低減する。これにより、着用者の腹部ないし下腹部に対する過度の圧迫や締め付けを防止することができる。
他方、ウエスト弾性部材５１、胴回り弾性部材７１，７２、レッグ弾性部材６１等により、膨らみ部Ｍの周囲においては、必要且つ充分なフィット性が得られ、漏れ防止性能等も充分に維持されている。
【００３２】
本実施形態のおむつ１によれば、このようにして、漏れ防止性能を損なうことなく、腹部ないし下腹部に対する押圧力を低減して、使用感を向上させることができる。また、自然状態のおむつ１についても、腹部相当箇所に、膨らみ部Ｍが立体的且つ明瞭に形成されている。よって、腹部ないし下腹部に対する圧迫感が少ないであろうことを着用者は認識し得るため、着用者は、本おむつ１を安心して快適に使用することができる。
【００３３】
膨らみ部Ｍの形成性の観点ないし膨らみ部Ｍによる装着圧の低減の観点から、ウエスト弾性部材５１と吸収体の長手方向の端部４Ａとの距離Ｄ（図４参照）は、５〜５０ｍｍであることが好ましく、より好ましくは１０〜３０ｍｍである。
【００３４】
おむつ１は、ウエスト弾性部材５１が、前身頃Ｆの全幅に亘って配されており、切込部を閉じるレッグ弾性部材（切込部を閉じる弾性部材）６１が、吸収体の長手方向の左右両側に、左右非連続に配されており、該弾性部材６１のおむつ横方向中央部側の端部６１ｂの位置が、胴回り弾性部材７１のおむつ横方向中央部側の端部７１ｂよりもおむつ幅方向中央部側（図４中の左側）に位置している。
斯かる構成により、吸収体４にシワを生じることを防止して、膨らみ部Ｍの形成性を向上させることができる。
【００３５】
上述した実施形態のパンツ型おむつにおける各部の形成材料について説明する。表面シート２、裏面シート３、吸収体４、立体ガード１１、外層シート２１及び内層シート２２等の形成材料としては、従来の使い捨ておむつ等において用いられている各種の材料を用いることができる。例えば、吸収体４としては、親水性繊維の集合体又はこれに高吸水性ポリマーを保持させてなるもの等を用いることができる。このような吸収体としては、パルプ繊維の積繊物やパルプ繊維と高吸水性ポリマーとの混合積繊物等を用いることができるが、このような積繊物に、アセテートトウなどの繊維を含ませたり、このような積繊物と紙や不織布等を組み合わせて吸収体とすることもできる。上述したおむつ１における切込部４１は、吸収体４の構成材料である親水性繊維の集合体の一部を切り欠いて形成してある。吸収体４は、親水性繊維の集合体又はこれに高吸水性ポリマーを保持させてなる吸収性コアの表面を、液透過性の薄紙や不織布で被覆してあるものであっても良く、切込部が閉鎖した状態は、切込部を挟んで相対向する吸収性コアの部分同士が直接接触していても良いし、薄紙や不織布を介在した状態で互いに密着していても良い。
【００３６】
前記弾性部材５１，６１，６２，７１，７２の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプ等の、糸状や紐状のもの、或いは帯状のもの等を用いることができる。
【００３７】
以上、本発明の好ましい実施形態について説明したが、本発明は、上述した実施形態に制限されない。
例えば、左右の胴回り弾性部材７１，７２は、本おむつ１のように、それぞれ複数本の線状弾性部材から構成されていることが好ましいが、それぞれ一本の帯状あるいは線状の弾性部材から構成されていても良い。また、胴回り弾性部材７１，７２の配置形状は、それぞれ、サインカーブの半周期分の形状を描くように配するのに代えて、図６に示すような形状とすることもでき、かつ、図６に示すような形状を２つ以上組み合わせた形状とすることもできる。図６においては、左右一方の側の胴回り弾性部材７１のうちの一本の線状弾性部材７１ａのみを示してある。
【００３８】
また、上記実施形態のおむつ１においては、レッグギャザー形成用のレッグ弾性部材６１が、切込部４１を閉鎖する弾性部材として機能していたが、レッグ弾性部材６１とは別の弾性部材を、切込部４１と重なるように、あるいは切込部４１の開口部前方に配し、その弾性部材で切込部４１を閉鎖させるようにしても良い。この場合において、何れの場合も切込部４１の中心線（延長線を含む）に対して交差する方向に配されていることが好ましい。また、切込部４１を閉鎖する弾性部材が、腹側領域の側部から股下領域における吸収体の側縁部に向かって配されている実施形態の他の例としては、該弾性部材が、股下領域における吸収体の側縁部に向かって延びているが、吸収体の側縁部まで達していない形態を挙げることができる。
本発明の使い捨ておむつは、成人用のパンツ型おむつ、特に高齢女性用に適しているが、幼児用のおむつとして用いることもできる。
【図面の簡単な説明】
【００３９】
【図１】図１は、本発明の一実施形態としてのパンツ型おむつを、その前身頃側から見た状態を示す斜視図である。
【図２】図２は、図１のパンツ型おむつの展開且つ伸張状態を示す平面図である。
【図３】図３は、図２のＸ−Ｘ線断面図である。
【図４】図４は、図２の一部を拡大して示す模式平面図である。
【図５】図５は、自然状態のおむつに膨らみ部が形成された状態を示す模式図である。
【図６】図６は、本発明の他の実施形態における胴回り弾性部材の配置形状を示す模式図である。
【図７】図７は、本発明の更に他の実施形態における切込部を示す模式図である。
【符号の説明】
【００４０】
１    パンツ型おむつ
２    表面シート
３    裏面シート
４    吸収体
４１  切込部
５    ウエスト開口部
５１  ウエスト弾性部材
６    レッグ開口部
６１  第１のレッグ弾性部材（切込部を閉じる弾性部材）
６２  第２のレッグ弾性部材
７１，７２  胴回り弾性部材
Ａ    腹側領域
Ｂ    背側領域
Ｃ    股下領域
Ｆ    前身頃
Ｇ    後身頃
【図１】
2006167351.tif 000003
【図２】
2006167351.tif 000004
【図３】
2006167351.tif 000005
【図４】
2006167351.tif 000006
【図５】
2006167351.tif 000007
【図６】
2006167351.tif 000008
【図７】
2006167351.tif 000009